(57)【特許請求の範囲】
【請求項１】
５本指の指袋と、足甲部と、足底部と、土踏まず部と、踵部を備えた整形外科靴下において、
前記足底部と前記指袋の間の５本指の付け根に沿って親指から小指まで足幅方向に形成された第１屈曲部と、
足首の屈曲箇所と対向する位置であって前記足首を囲むよう周状に形成された第２屈曲部と、
前記足底部に母指屈筋腱の形状に倣って覆い親指の屈曲に沿って伸縮する母指伸縮部と、
を備えたことを特徴とする整形外科靴下。
【請求項２】
前記親指の指袋は、前記親指の屈曲に沿って伸縮する親指伸縮部を備え、前記親指伸縮部と前記母指伸縮部は前記親指と母指球を結ぶ直線上に配置されたことを特徴とする請求項１に記載の整形外科靴下。
【請求項３】
前記親指伸縮部は、前記親指の先端、側面、底面を覆うように伸縮可能に形成したことを特徴とする請求項２に記載の整形外科靴下。
【請求項４】
皮膚に対して所定の着圧力で締め付けるサポート部を前記足底部から前記足甲部に亘って周状に形成したことを特徴とする請求項１ないし３のいずれか１項に記載の整形外科靴下。
【請求項５】
前記土踏まず部は、前記サポート部よりも皮膚に対する着圧力を高くしたことを特徴とする請求項４に記載の整形外科靴下。
【発明の詳細な説明】
【技術分野】
【０００１】
本発明は、特に５本指の指袋を備えた整形外科用の靴下に関する。
【背景技術】
【０００２】
近年、靴や靴下により足指の動き（屈曲）が制限されることに伴って、足底周囲筋が低下してしまい、小児、成人、高齢者のあらゆる年齢層で偏平足、外反母趾など足の障害が増加しつつある。
【０００３】
従来の履き心地の良好な靴下として特許文献１，２を挙げることができる。
特許文献１に開示の靴下は、土踏まず部の中央付近に低伸縮性で皮膚への着圧力が最も高い第１領域と、第１領域の周囲を囲み、かつ足底部から足甲部を周設するように低伸縮性の第２領域を設けている。これにより、足底のアーチの曲線を正常な形状に保つ効果を発揮している。
【０００４】
また、つま先部分に５本指の指袋を備えた特許文献２に示すような靴下がある。この靴下は、３本以上５本以下の指袋を備え、靴下の底面を水平に置いた状態で両端の指袋よりも間にある指袋のほうが高い位置に配置されており、少なくとも親指の指袋は、指の先端から付け根の間に凹部が形成されている。これにより、靴下を履いても裸足に近い接地が得られ、足の負担も少なく、全指を機能させることができ、履き心地も良好とすることができる。このような５本指の靴下は、指同士の摩擦が少なく靴擦れが起こり難いなどの利点がある。
【先行技術文献】
【特許文献】
【０００５】
【特許文献１】特開２００８−１１１２２４号公報
【特許文献２】特開２０１０−１５９５２３号公報
【発明の概要】
【発明が解決しようとする課題】
【０００６】
しかしながら、特許文献１に開示の靴下によれば、低伸縮性の第２領域が足甲から足首まで形成されているため、足首の関節の屈曲が制限されてしまうという問題があった。
【０００７】
また特許文献２に開示の靴下によれば、指袋を骨格に沿ったアーチ状に配置することにより、足の負担を軽減しているが、足指以外の母指球や、足首の関節については何ら考慮がなされてない。
【０００８】
また、その他、現状の靴下は、一般に足の保温性や、靴との摩擦防止が主であり、足の様々な関節や筋肉の動きに関して考慮して作られていない。このように靴下が足指や母指球や足首の関節の曲げ方向の伸縮にあっていないと、足指、足首の動きが阻害されて、運動機能が低下してしまうという問題があった。
そこで、本発明は、足指及び足首の関節にかかる負担を軽減して、裸足に近い履き心地の整形外科靴下を提供することを目的としている。
【課題を解決するための手段】
【０００９】
本発明の整形外科靴下は、５本指の指袋と、足甲部と、足底部と、土踏まず部と、踵部を備えた整形外科靴下において、前記足底部と前記指袋の間の５本指の付け根に沿って親指から小指まで足幅方向に形成された第１屈曲部と、足首の屈曲箇所と対向する位置であって前記足首を囲むよう周状に形成された第２屈曲部と、前記足底部の母指屈筋腱の形状に倣って覆い親指の屈曲に沿って伸縮する母指伸縮部と、を備えたことを特徴としている。
【００１０】
これにより、靴下を履いても裸足に近い履き心地で、足指、母指球、足首の関節部分に負担がかからず、足指、母指球、脚首の屈曲に追随して曲げ延ばしを促進することができる。
【００１１】
この場合において、前記親指の指袋は、前記親指の屈曲に沿って伸縮する親指伸縮部を備え、前記親指伸縮部と前記母指伸縮部は前記親指と母指球を結ぶ直線上に配置されたことを特徴としている。
【００１２】
これにより、母指球から親指に向けて屈曲する母指屈筋腱の動きに合わせて伸縮するため、親指の関節の動きを促進させることができる。また、親指の屈曲に追随して親指の指袋が伸縮することによって、親指の屈曲時に負荷がかかることがない。
【００１３】
前記親指の指袋は、前記親指の先端、側面、底面を覆うように伸縮可能に形成したことを特徴としている。
これにより、運動時の衝撃を吸収し、親指の負担を軽減することができる。また発汗に対する吸湿性と、保温性を高めることができる。
【００１４】
皮膚に対して所定の着圧力で締め付けるサポート部を前記足底部から前記足甲部に亘って周状に形成したことを特徴としている。
これにより、足指の曲げ伸ばしが容易となり、足指の屈曲を促進させることができる。
【００１５】
前記土踏まず部は、前記サポート部よりも皮膚に対する着圧力を高くしたことを特徴としている。
これにより、土踏まずを足底面から押し上げ易くなり、足の内側のアーチが上がって、偏平足を防止することができる。
【発明の効果】
【００１６】
上記構成による本発明の整形外科靴下によれば、足首の屈曲箇所に第２屈曲部、足指の屈曲箇所に第１屈曲部、母指屈筋腱に母指伸縮部などの足の関節に相当する部分をそれぞれの動きに合わせたパーツで形成しているため、靴下を履いても裸足に近い履き心地で、足指、母指球、足首の関節部分に負担がかからず、足指、母指球、脚首の屈曲に追随して曲げ延ばしを促進することができる。
【００１７】
また、医学的、解剖学的に準じた足指や足関節の動き及び足底周囲筋をサポートし、裸足状態を再現することにより動きやすさと共に、筋力の強化、種々の運動パフォーマンスの向上が期待できる。
また、足は第２の心臓と呼ばれ、足指の動きや足底周囲筋を効率よく使うことで血液の循環ポンプが促進されて、現代病である下肢の冷え性の改善が期待できる。
【図面の簡単な説明】
【００１８】
【図１】右足用の整形外科靴下を親指側から見た側面図である。
【図２】右足用の整形外科靴下を小指側から見た側面図である。
【図３】右足用の整形外科靴下の底面図である。
【図４】右足用の整形外科靴下の平面図である。
【図５】整形外科靴下の説明図である。
【図６】底面から見た整形外科靴下の説明図である。
【発明を実施するための形態】
【００１９】
本発明の整形外科靴下の実施形態を添付の図面を参照しながら、以下詳細に説明する。
図１は、右足用の整形外科靴下を親指側から見た側面図である。図２は右足用の整形外科靴下を小指側から見た側面図である。図３は右足用の整形外科靴下の底面図である。図４は右足用の整形外科靴下の平面図である。なお、左足用の整形外科靴下は右足用の整形外科靴下と鏡面対称に表すことができる。
【００２０】
図示のように本発明の整形外科靴下１０は、脚筒部１２と、踵部１４と、足甲部１６と、土踏まず部１８と、足底部２０と、５本指の指袋３０と、第１屈曲部４０と、第２屈曲部５０と、母指伸縮部６０と、を主な基本構成としている。
【００２１】
脚筒部１２は、はき口１３を備え、所定の伸縮性で足首より上の脚周りを覆っている。脚筒部１２は所定の厚みと締め付け力を備えた平編み組織で構成され、脚周りを保護している。
【００２２】
踵部１４は、足の踵と対向する位置に、踵を覆うように形成されている。踵部１４はパイル糸で編成しボリューム感を出してクッション性、保温性、機械的強度を高めている。
【００２３】
足甲部１６は、足の上面の足指から足首までの足の甲と対向する位置に、足の甲を覆うように形成されている。足底部２０は、足甲部１６と対向し、足の下面の足指から踵部１４までを覆うように形成されている。
【００２４】
サポート部１９は、足の底面の土踏まずから足の上面の甲に亘って周状に形成されている。サポート部１９は、皮膚に対して所定の着圧力で締め付けている。このような構成のサポート部１９は、足の土踏まずから足の甲に亘って周状に皮膚を締め付けることができる。これにより、足指の曲げ伸ばしが容易となり、足指の屈曲を促進させることができる。
【００２５】
サポート部１９の土踏まず部１８は、土踏まずに対して着圧し所定の着圧力で締め付けるように構成している。また、土踏まず部１８は、サポート部よりも皮膚に対する着圧力を高く設定している。このような構成の土踏まず部１８は、土踏まずを足底面から押し上げ易くなり、足の内側のアーチが上がって、偏平足を防止することができる。
【００２６】
脚筒部１２とサポート部１９の間であって、踵部１４を除いた領域には、第２屈曲部５０が形成されている。第２屈曲部５０は、足首の屈曲箇所と対向する位置であって足首を囲むように周状に形成されている。第２屈曲部５０には、中心線５２が形成されている。中心線５２は、足首の屈曲の際に屈曲の中心と対向する位置に形成されている。第２屈曲部５０は、脚筒部１２と、サポート部１９と、踵部１４の個々のパーツを繋げる位置、換言すれば、脚筒部１２と、サポート部１９と、踵部１４の個々のパーツを分割する位置であって、足首の屈曲と対向する位置に繋ぎ目として形成されている。このような第２屈曲部５０の構成により、足首の関節の屈曲の際に、中心線５２を中心に屈曲して、動きが阻害されることがなく、曲げ伸ばしを促進させることができる。また、第２屈曲部５０を備えた靴下は、従来の脚筒部と踵部と足甲部と足底部が連続的に形成された構成の靴下と比べて、足首周りの屈曲が容易となる。
【００２７】
足底部２０には、足底の母指屈筋腱の形状に倣って覆い、親指の屈曲に沿って伸縮する母指伸縮部６０が形成されている。このような母指伸縮部６０の構成により、母指球周辺の母指屈筋腱の形状に倣って形成されているため、母指屈筋腱の動きに倣って伸縮し、母指屈筋腱の動きが阻害されることがない。また、母指伸縮部６０は、パイル糸で編成しボリューム感を出して伸縮可能とし、所定のクッション性によって母指球を保護することができる。
【００２８】
５本指の指袋３０は、５本の足指の大きさに合わせて袋穴状に形成されている。親指の指袋３２には、親指の屈曲に沿って伸縮する親指伸縮部３４が配置されている。親指伸縮部３４は、親指の先端、側面、底面を覆うように、パイル糸で編成しボリューム感を出して伸縮可能に形成している。これにより、運動時の衝撃を吸収し、親指の負担を軽減することができる。また発汗に対する吸湿性と、保温性を高めることができる。また、親指伸縮部３４と母指伸縮部６０は親指と母指球を結ぶ直線上に配置されている。このような親指伸縮部３４と母指伸縮部６０が直線状に配置された構成により、母指球から親指に向けて屈曲する母指屈筋腱の動きに合わせて伸縮するため、親指の関節の動きを促進させることができる。
【００２９】
足底部２０と５本指の指袋３０の間には、第１屈曲部４０が形成されている。第１屈曲部４０は、足底部２０と５本指の指袋３０のパーツを繋げる位置、換言すれば、足底部２０と５本指の指袋３０のパーツを分割する位置であって、足指の屈曲と対向する位置に繋ぎ目として形成されている。第１屈曲部４０は、足底部２０と指袋の間の５本指の付け根に沿って親指から小指まで足幅方向に形成されている。このような構成の第１屈曲部４０によって５本指の関節の動きが阻害されることがなく、曲げ伸ばしを促進させることができる。
【００３０】
本発明の整形外科靴下１０の材質としては、主にコットン、又はポリエステル繊維、ポリエチレン繊維、ナイロン繊維、アクリル繊維、ウール、木綿のほか、シルク、カシミアなどを用いることができる。
【００３１】
上記構成による本発明の整形外科靴下１０の製造方法は、丸編み機を使用して編成することができる。整形外科靴下１０は、各部を同一繊維で厚みや編み方を変えることにより編成することができ、例えば指袋側から編み出した場合、まず親指の指袋３２を編成し、ついで人差し指の指袋、中指の指袋、薬指の指袋、小指の指袋の順に編成される。その後、足底部２０、足甲部１６、土踏まず部１８、踵部１４、脚筒部１２の順に編成される。最後に指袋と第１屈曲部４０の間の開口と、はき口１３の開口を縫製している。なお、脚筒部１２側から指袋側へ向けて編成することもできる。
【００３２】
図５は整形外科靴下の説明図である。図６は底面から見た整形外科靴下の説明図である。本発明の整形外科靴下１０は、図５に示すように、足底部２０と指袋の間の５本指の付け根に沿って親指から小指まで足幅方向に第１屈曲部４０が形成されている。第１屈曲部４０は、足底部２０と５本指の指袋３０のパーツを分割する位置であって、足指の屈曲と対向する位置に形成されている。この第１屈曲部４０によって足指の関節の動きが阻害されることがなく、矢印Ａに示すような足指の曲げ伸ばしを促進させることができる。
【００３３】
また、足首の屈曲箇所７０と対向する位置であって足首を囲むように周状に第２屈曲部５０が形成されている。第２屈曲部５０は、脚筒部１２と、サポート部１９と、踵部１４の個々のパーツを分割する位置に形成されている。この第２屈曲部５０によって足首の屈曲箇所７０の関節の動きが阻害されることがなく、矢印Ｂに示すように、中心線５２を中心にして、足首の曲げ伸ばしを促進させることができる。
【００３４】
さらに、図６に示すように親指の指袋の親指伸縮部３４と、母指伸縮部６０は、親指と母指球を結ぶ直線上に配置されているため、矢印Ｃに示すように、母指球から親指に向けて屈曲する母指屈筋腱の運きに合わせて伸縮するため、親指の関節の動きを促進させることができる。
【００３５】
このような本発明の整形外科靴下によれば、足首の屈曲箇所に第２屈曲部、足指の屈曲箇所に第１屈曲部、母指屈筋腱に母指伸縮部などの足の関節に相当する部分をそれぞれの動きに合わせたパーツで形成しているため、靴下を履いても裸足に近い履き心地で、足指、母指球、足首の関節部分に負担がかからず、足指、母指球、脚首の屈曲に追随して曲げ延ばしを促進することができる。また、本発明の整形外科靴下は、解剖学的に足指と足首の関節の動きやすさをサポートすることができる。
【００３６】
さらに、母指屈筋腱に沿った母指伸縮部を形成することで動きやすさをサポートしている。またサポート部によって足底部から足甲部に亘る中足部を軽度に圧迫し、サポート部よりも着圧力の高い土踏まず部による中程度の圧迫により、足指の動きやすさや筋力強化、そして、偏平足や外反母趾を防止することができる。さらに血流の改善により冷え性を緩和することができる。
【符号の説明】
【００３７】
１０………整形外科靴下、１２………脚筒部、１３………はき口、１４………踵部、１６………足甲部、１８………土踏まず部、１９………サポート部、２０………足底部、３０………５本指の指袋、３２………親指の指袋、３４………親指伸縮部、４０………第１屈曲部、５０………第２屈曲部、６０………母指伸縮部、７０………足首の屈曲箇所。
【図１】
0005463576.tif 000002
【図２】
0005463576.tif 000003
【図３】
0005463576.tif 000004
【図４】
0005463576.tif 000005
【図５】
0005463576.tif 000006
【図６】
0005463576.tif 000007